(57)【特許請求の範囲】
【請求項１】
第１コネクタと、前記第１コネクタ内で嵌合方向にスライド自在に設けられ、前記第１コネクタ内に第２コネクタが進入すると前記第２コネクタに当接して前記第２コネクタの進入方向に押し込まれ、更に進入すると前記第２コネクタとの当接が解除されて前記第１コネクタ及び前記第２コネクタが嵌合すると前記第２コネクタの進入方向と逆の方向に戻されるスライダと、を備えるスライダ付コネクタであって、
前記第１コネクタには、前記第２コネクタに係止する第１ロック部を先端部に備えた可撓性を有するロックアームが設けられており、
前記スライダには、前記第２コネクタと当接する第１当接部を先端部に備えた可撓性を有する当接アーム、及び、前記第１コネクタと前記第２コネクタとを嵌合する際に、前記第１ロック部と前記第２コネクタの第２ロック部を係止させるために、前記ロックアームを撓ませる傾斜部が設けられており、
前記傾斜部が、前記第１当接部よりも嵌合方向において前記第１コネクタ側に設けられており、
前記ロックアームが、前記傾斜部に乗り上げて撓んだときに、前記当接アームに当接して前記当接アームを撓ませて、前記第１当接部と前記第２コネクタの第２当接部との当接を解除する
ことを特徴とするスライダ付コネクタ。
【請求項２】
前記第１コネクタと係止するスライダ係止部が、前記スライダに設けられており、
前記スライダ係止部と係止するコネクタ係止部が、前記第１コネクタに設けられており、
前記スライダ係止部と前記コネクタ係止部とが係止した状態において、前記第１当接部が前記第１ロック部よりも、嵌合方向において前記第２コネクタ側に配されている
ことを特徴とする請求項１に記載のスライダ付コネクタ。
【請求項３】
第１コネクタと、前記第１コネクタに嵌合可能に設けられた第２コネクタと、前記第１コネクタ内で嵌合方向にスライド自在に設けられ、前記第１コネクタ内に前記第２コネクタが進入すると前記第２コネクタに当接して前記第２コネクタの進入方向に押し込まれ、更に進入すると前記第２コネクタとの当接が解除されて前記第１コネクタ及び前記第２コネクタが嵌合すると前記第２コネクタの進入方向と逆の方向に戻されるスライダと、を備えるコネクタ嵌合構造であって、
前記第１コネクタには、前記第２コネクタに係止する第１ロック部を先端部に備えた可撓性を有するロックアームが設けられており、
前記スライダには、前記第２コネクタと当接する第１当接部を先端部に備えた可撓性を有する当接アームが設けられており、
前記第２コネクタには、前記第１ロック部に係止する第２ロック部と、前記第１当接部に当接する第２当接部と、が設けられており、
前記第２コネクタ又は前記スライダには、前記第１コネクタと前記第２コネクタとを嵌合する際に、前記第１ロック部と前記第２ロック部を係止させるために、前記ロックアームを撓ませる傾斜部が設けられており、
前記第２当接部と前記第２ロック部とは、嵌合方向に並んで配され、前記第２ロック部が前記第２当接部よりも、嵌合方向において前記第１コネクタ側に配されており、
前記ロックアームが、前記傾斜部に乗り上げて撓んだときに、前記当接アームに当接して前記当接アームを撓ませて、前記第１当接部と前記第２当接部との当接を解除する
ことを特徴とするコネクタ嵌合構造。
【請求項４】
前記第２当接部及び前記第２ロック部は、前記第２コネクタのハウジングから突出して設けられ、前記第２当接部が前記第２ロック部よりも突出している
ことを特徴とする請求項３に記載のコネクタ嵌合構造。
【発明の詳細な説明】
【技術分野】
【０００１】
本発明は、スライダ付コネクタ及びコネクタ嵌合構造に関する。
【背景技術】
【０００２】
従来、一方のコネクタ内に弾性付勢されたスライダの作用で他方のコネクタとの半嵌合を検知する半嵌合検知コネクタが知られている。図８は、特開２００１−３２６０３２号公報（特許文献１）に記載された従来の半嵌合検知コネクタを示すものである。
【０００３】
特許文献１における半嵌合検知コネクタ１００は、嵌合可能に設けられた一対の雄側のコネクタ２００及び雌側のコネクタ３００と、両コネクタ嵌合離脱方向にスライド自在に設けられ雌側のスライダ３００側に付勢される雄側のコネクタ２００内に配されたスライダ４００と、を備えている。スライダ４００は、雌側のコネクタ３００に当接する当接突起２５０と、当接突起２５０を先端部に有する当接アーム２４０と、後述する雄側のコネクタ２００のロックアーム３８０を撓ませる第一のガイド傾斜部２７０及び第二のガイド傾斜部２８０と、を備えている。雄側のコネクタ２００は、雌側のコネクタ３００に係止するロック突起２９０と、ロック突起２９０を先端部に有するロックアーム３８０と、当接アーム２４０を撓ませて当接突起２５０を押し上げるガイド突起３６０と、を備えている。雌側のコネクタ３００は、スライダ４００の当接突起２５０に当接する当接突起５０と、雄側のコネクタ２００のロック突起２９０に係止するロック突起２０と、を備える。
【０００４】
特許文献１の半嵌合検知コネクタ１００は、両コネクタ２００，３００の嵌合に伴って、雌側のコネクタ３００の当接突起５０がスライダ４００の当接突起２５０を押すことで、スライダ４００が後退する。第一のガイド傾斜部２７０及び第二のガイド傾斜部２８０により、ロックアーム３８０が上向きに撓み、ロックアーム３８０のロック突起２９０が雌側のコネクタ３００のロック突起２０の上側を通過してロック突起２０の斜め前方上側に位置する。また、スライダ４００の当接突起２５０は雄側のコネクタ２００のガイド突起３６０に沿って摺接し、それによって当接アーム２４０が上向きに撓み、当接突起２５０と雌側のコネクタ３００の当接突起５０との当接が解除される。
【０００５】
両当接突起５０，２５０の当接が解除されることで、スライダ４００は付勢力で前方に押し戻される。この際、スライダ４００の当接突起２５０は雌側のコネクタ３００の当接突起５０を乗り越えて前方に移動する。スライダ４００と一体に第二のガイド傾斜部２８０が前方に移動することで、ロックアーム３８０のロック突起２９０と第二のガイド傾斜部２８０との当接が解除され、ロックアーム３８０が弾性的に水平方向に復元し、ロック突起２９０が雌側のコネクタ３００のロック突起２０に係合する。
【先行技術文献】
【特許文献】
【０００６】
【特許文献１】特開２００１−３２６０３２号公報
【発明の概要】
【発明が解決しようとする課題】
【０００７】
しかしながら、上記特許文献１に記載の半嵌合検知コネクタ１００は、両当接突起５０，２５０の当接の解除のために、当接アーム２４０を撓ませるガイド突起３６０を雄側のコネクタ２００に設ける必要がある。このため、半嵌合検知コネクタが大型化するという問題があった。
【０００８】
本発明は、小型化を図ることが可能であり、コネクタ相互の嵌合時に半嵌合状態を検知することが可能なスライダ付コネクタ及びコネクタ嵌合構造を提供することを目的とする。
【課題を解決するための手段】
【０００９】
請求項１に記載された発明は、第１コネクタと、前記第１コネクタ内で嵌合方向にスライド自在に設けられ、前記第１コネクタ内に第２コネクタが進入すると前記第２コネクタに当接して前記第２コネクタの進入方向に押し込まれ、更に進入すると前記第２コネクタとの当接が解除されて前記第１コネクタ及び前記第２コネクタが嵌合すると前記第２コネクタの進入方向と逆の方向に戻されるスライダと、を備えるスライダ付コネクタであって、前記第１コネクタには、前記第２コネクタに係止する第１ロック部を先端部に備えた可撓性を有するロックアームが設けられており、前記スライダには、前記第２コネクタと当接する第１当接部を先端部に備えた可撓性を有する当接アーム、及び、前記第１コネクタと前記第２コネクタとを嵌合する際に、前記第１ロック部と前記第２コネクタの第２ロック部を係止させるために、前記ロックアームを撓ませる傾斜部が設けられており、前記傾斜部が、前記第１当接部よりも嵌合方向において前記第１コネクタ側に設けられており、前記ロックアームが、前記傾斜部に乗り上げて撓んだときに、前記当接アームに当接して前記当接アームを撓ませて、前記第１当接部と前記第２コネクタの第２当接部との当接を解除することを特徴とするスライダ付コネクタである。
【００１０】
請求項２に記載された発明は、請求項１に記載された発明において、前記第１コネクタと係止するスライダ係止部が、前記スライダに設けられており、前記スライダ係止部と係止するコネクタ係止部が、前記第１コネクタに設けられており、前記スライダ係止部と前記コネクタ係止部とが係止した状態において、前記第１当接部が前記第１ロック部よりも、嵌合方向において前記第２コネクタ側に配されていることを特徴としている。
【００１２】
請求項３に記載された発明は、第１コネクタと、前記第１コネクタに嵌合可能に設けられた第２コネクタと、前記第１コネクタ内で嵌合方向にスライド自在に設けられ、前記第１コネクタ内に前記第２コネクタが進入すると前記第２コネクタに当接して前記第２コネクタの進入方向に押し込まれ、更に進入すると前記第２コネクタとの当接が解除されて前記第１コネクタ及び前記第２コネクタが嵌合すると前記第２コネクタの進入方向と逆の方向に戻されるスライダと、を備えるコネクタ嵌合構造であって、前記第１コネクタには、前記第２コネクタに係止する第１ロック部を先端部に備えた可撓性を有するロックアームが設けられており、前記スライダには、前記第２コネクタと当接する第１当接部を先端部に備えた可撓性を有する当接アームが設けられており、前記第２コネクタには、前記第１ロック部に係止する第２ロック部と、前記第１当接部に当接する第２当接部と、が設けられており、前記第２コネクタ又は前記スライダには、前記第１コネクタと前記第２コネクタとを嵌合する際に、前記第１ロック部と前記第２ロック部を係止させるために、前記ロックアームを撓ませる傾斜部が設けられており、前記第２当接部と前記第２ロック部とは、嵌合方向に並んで配され、前記第２ロック部が前記第２当接部よりも、嵌合方向において前記第１コネクタ側に配されており、前記ロックアームが、前記傾斜部に乗り上げて撓んだときに、前記当接アームに当接して前記当接アームを撓ませて、前記第１当接部と前記第２当接部との当接を解除することを特徴とするコネクタ嵌合構造である。
【００１４】
請求項４に記載された発明は、請求項３に記載の発明において、前記第２当接部及び前記第２ロック部は、前記第２コネクタのハウジングから突出して設けられ、前記第２当接部が前記第２ロック部よりも突出していることを特徴としている。
【発明の効果】
【００１５】
本発明のスライダ付コネクタ及びコネクタ嵌合構造によれば、第２コネクタ又はスライダには、第１コネクタと第２コネクタとを嵌合する際に、第１ロック部と第２ロック部を係止させるために、ロックアームを撓ませる傾斜部が設けられており、ロックアームが、傾斜部に乗り上げて撓んだときに、当接アームに当接して当接アームを撓ませて、第１当接部と第２当接部との当接を解除する。このような構成により、第１当接部と第２当接部との当接の解除のための部材を設ける必要が無く、小型化を図ることが可能となる。また、半嵌合の状態では、スライダによって第２コネクタが押し戻されるため、半嵌合状態を検知することが可能となる。
【図面の簡単な説明】
【００１６】
【図１】本発明の一実施形態に係るスライダ付コネクタ及びコネクタ嵌合構造を示した分解斜視図である。
【図２】図１に示すコネクタ嵌合構造の嵌合開始前の状態を示した断面図である。
【図３】図１に示すスライダ付コネクタ及びコネクタ嵌合構造が備えるロックアームを示した図である。
【図４】図１に示すコネクタ嵌合構造の嵌合開始の状態を示した断面図である。
【図５】図１に示すコネクタ嵌合構造の嵌合途中の状態を示した断面図である。
【図６】図１に示すコネクタ嵌合構造の嵌合途中の状態を示した断面図である。
【図７】図１に示すコネクタ嵌合構造の嵌合状態を示した断面図である。
【図８】従来の半嵌合検知コネクタを示した図である。
【発明を実施するための形態】
【００１７】
以下、本発明の一実施形態に係るコネクタ嵌合構造１Ａ及びスライダ付コネクタ１Ｂについて、図１及び図２を用いて説明する。図１は、本発明の一実施形態に係るコネクタ嵌合構造１Ａ及びスライダ付コネクタ１Ｂを示した分解斜視図である。図２は、図１に示すコネクタ嵌合構造１Ａの嵌合開始前の状態を示した断面図である。
【００１８】
図１に示すように、本実施形態に係るコネクタ嵌合構造１Ａは、雄コネクタ（第１コネクタ）１と、雄コネクタ１に嵌合可能に設けられた雌コネクタ（第２コネクタ）２と、雄コネクタ１内に嵌合方向にスライド自在に設けられたスライダ３と、を備えている。
【００１９】
また、図１に示すように、本実施形態に係るスライダ付コネクタ１Ｂは、雄コネクタ１と、雄コネクタ１内に嵌合方向にスライド自在に設けられたスライダ３と、を備えている。なお、図において嵌合方向はＤで示されている。また、図において、コネクタ嵌合構造１Ａのスライダ３が配されているのが上、後述するインナハウジング４が配されているのが下とする。
【００２０】
雄コネクタ1は、所定数の雄側端子（図示せず）を嵌入し、嵌合方向Ｄに沿って貫通する端子収容室４２を備えたインナハウジング４と、インナハウジング４を覆い嵌合方向Ｄにおける雌コネクタ２側が開口したフード状のアウタハウジング５と、を備えている。インナハウジング４とアウタハウジング５とは、嵌合方向Ｄと直交する面の断面が略長方形に形成されている。
【００２１】
インナハウジング４の上壁の上面４３には、雌コネクタロック部７４に係止する雄コネクタロック部（第１ロック部）４６を先端部に備えた可撓性を有するロックアーム４４が、インナハウジング４と一体的に設けられている。なお、本実施形態において「先端部」とは、先端を含む先端に近い一定の範囲をいう。図３（ａ）は、ロックアーム４４を下側から見た下面図であり、（ｂ）は左側面図である。図３に示すように、ロックアーム４４は、嵌合方向Ｄと平行に雌コネクタ２側に延び、その先端部に自由端を有する片持ち構造のアーム部４５，４５を備え、略Ｈ字状に形成されている。アーム部４５，４５の両先端部には、後述するスライダ３の傾斜部３４と摺接する摺接部４５ａ，４５ａが設けられている。摺接部４５ａ，４５ａは、アーム部４５，４５の先端部に向かうに従って上方に近づく傾斜に設けられている。
【００２２】
また、ロックアーム４４における嵌合方向Ｄと直交する方向に、アーム部４５，４５の先端部（ロックアーム４４の先端部）に架けられた梁部材は、雄コネクタロック部（第１ロック部）４６を形成している。雄コネクタロック部４６は、図３（ｂ）に示すように、下面部分がアーム部４５，４５より下側に突き出るように形成されている。また、アーム部４５，４５の先端部は雄コネクタロック部４６よりも雌コネクタ２側に突出している。雄コネクタロック部４６が、後述する雌コネクタロック部（第２ロック部）７４に係止することにより、雄コネクタ１と雌コネクタ２との嵌合が完了する。
【００２３】
アウタハウジング５の上壁とインナハウジング４の上壁との間には、スライダ収容部６が形成されている。雄コネクタ１は、スライダ収容部６内においてスライダ３を嵌合方向Ｄにスライド自在に保持している。スライダ収容部６は、インナハウジング４の上壁及びロックアーム４４の上面を、アウタハウジング５の上壁で覆うようにして形成されている。スライダ収容部６には、スライダ３の嵌合方向Ｄの雌コネクタ２側への移動を規制し、スライダ収容部６内に保持するコネクタ係止部６１が設けられている。コネクタ係止部６１は、ロックアーム４４の上面と面一に形成されロックアーム４４とは反対側に延びた面上において、雄コネクタ１の幅方向略中央部に設けられた突起形状の部材である。コネクタ係止部６１は、そのコネクタ係止面６１ａが、スライダ３の後述するスライダ係止面（スライダ係止部）３６ａと係止し、スライダ３の嵌合方向Ｄの雌コネクタ２側への移動を規制する。
【００２４】
スライダ収容部６の幅方向左右（アウタハウジング５の幅方向左右）には、図２（ｂ）に示すようにスライダ３を嵌合方向Ｄにおける雌コネクタ２側に付勢する弾性部材を収容する弾性部材収容部６２が設けられている。弾性部材収容部６２には、弾性部材としての圧縮ばね６３，６３が収納されている。
【００２５】
スライダ３は、図１に示すようにスライダ収容部６の幅方向に幅広に形成された幅広部３１と、幅広部３１より幅が狭く形成された幅狭部３２とを一体に備えた、嵌合方向Ｄに延びた板状の部材である。幅広部３１は、その幅方向略中央部に設けられたスライダアーム（当接アーム）３３と、スライダ３の下面であってスライダアーム３３より嵌合方向Ｄにおける雄コネクタ１側に設けられたスライダ押え部３８（図４）と、ロックアーム４４に摺接し撓ませる傾斜部３４，３４と、を備えている。
【００２６】
幅広部３１の幅方向略中央部には、嵌合方向Ｄに延びた略長方形の孔３５が形成されている。スライダアーム３３は、孔３５の嵌合方向Ｄにおける雄コネクタ１側の内縁から、嵌合方向Ｄと平行に雌コネクタ２側に延び、その先端部に自由端を有する片持ち構造で、幅広部３１と一体的に設けられている。スライダアーム３３は、スライダ当接部（第１当接部）３３ａを先端部に備え、可撓性を有している。スライダ当接部３３ａはその当接面３３ｂが、雄コネクタ１と雌コネクタ２とを嵌合する際に、雌コネクタ２の後述する雌コネクタ当接部（第２当接部）７３と対面し当接する。当接面３３ｂは、スライダアーム３３の先端部に向かうに従って上方に近づく傾斜に設けられている。
【００２７】
スライダアーム３３とロックアーム４４とは、雄コネクタ１にスライダ３が収容され、コネクタ係止部６１のコネクタ係止面６１ａと、スライダ３のスライダ係止面３６ａとが係止した係止状態において、スライダアーム３３のスライダ当接部（第１当接部）３３ａは、ロックアーム４４の雄コネクタロック部４６よりも、嵌合方向Ｄにおける雌コネクタ２側に配されている。また、スライダ３が、スライダ収容部６の最も奥側（嵌合方向Ｄにおける雄コネクタ１側）に押し込まれた場合においても、スライダ当接部（第１当接部）３３ａは、雄コネクタロック部４６よりも嵌合方向Ｄにおける雌コネクタ２側に配される。
【００２８】
スライダ押え部３８は、孔３５の嵌合方向Ｄにおける雄コネクタ１側の辺（スライダアーム３３の根元）より、やや雄コネクタ１寄りの位置に設けられている。スライダ押え部３８は、スライダ３の下面から突出した突起部材であり、雄コネクタ１と雌コネクタ２とが嵌合状態となった際に、雄コネクタロック部４６の真上に位置するように配される。スライダ押え部３８は、嵌合状態となった際に、雄コネクタロック部４６と雌コネクタロック部７４との係止が解除されないように、雄コネクタロック部４６を上から押える役目を果たしている。
【００２９】
傾斜部３４，３４は、雄コネクタ１と雌コネクタ２との嵌合の際に、その傾斜面でロックアーム４４の摺接部４５ａ，４５ａと摺接し、ロックアーム４４を上側（スライダ３側）に撓ませる。幅広部３１の孔３５の幅方向両側には、孔３９，３９が形成されている。傾斜部３４，３４は、この孔３９，３９の幅方向側の内縁から下垂した支持壁３９ａ，３９ａによって支持されている。傾斜部３４，３４は、スライダアーム３３の幅広部３１における幅方向両側に設けられるとともに、スライダ当接部３３ａよりも、嵌合方向Ｄにおける雄コネクタ１側に配されている。また、傾斜部３４，３４は、雄コネクタ１と雌コネクタ２とを嵌合させる際に、雌コネクタロック部７４より高い位置（上側）に配されている。傾斜部３４，３４は、嵌合方向Ｄにおける雌コネクタ２側に向かうに従って上方に近づく傾斜に設けられている。
【００３０】
幅狭部３２は、略中央部に、コネクタ係止部６１が配される嵌合方向Ｄに延びた略長方形の孔３６が形成されており、この孔３６内にコネクタ係止部６１が配されるように、スライダ３がスライダ収容部６内に収納される。孔３６の嵌合方向Ｄにおける雄コネクタ１側の内縁が、コネクタ係止部６１のコネクタ係止面６１ａと係止するスライダ係止面３６ａを形成している。スライダ３は、そのスライダ係止面３６ａがコネクタ係止面６１ａに係止することにより、雄コネクタ１内から、嵌合方向Ｄにおける雌コネクタ２側の開口から脱離することなくスライダ収容部６内に留まる。
【００３１】
スライダ３は、アウタハウジング５の雌コネクタ２側の開口から、幅狭部３２を先端にして、スライダ収容部６内に挿入される。スライダ３は、幅広部３１の厚み部分がばね当接面３７，３７を形成しており、スライダ収容部６内において当該ばね当接面３７，３７で圧縮ばね６３，６３に当接している。
【００３２】
雌コネクタ２は、雄コネクタ１の雄側端子に対応する雌側端子７１と、嵌合方向Ｄにおける雄コネクタ１側が開口した雌ハウジング７と、を備えている。雌ハウジング7は、嵌合方向Ｄと直交する面の断面が略長方形に形成されている。雌ハウジング７は、雄コネクタ１と嵌合する際にインナハウジング４を内部に収容するように、雄コネクタ１に進入して行く。雌ハウジング７の上壁の上面７２には、スライダ当接部３３ａに当接する雌コネクタ当接部７３と、雄コネクタロック部４６に係止する雌コネクタロック部７４とが突出して設けられている。
【００３３】
雌コネクタ当接部７３と雌コネクタロック部７４とは嵌合方向Ｄと平行な同一線上に並んで配されている。雌コネクタロック部７４は、雌コネクタ当接部７３より嵌合方向Ｄにおける雄コネクタ１側に設けられているとともに、嵌合方向Ｄにおける雌コネクタ２側に向かうに従って上方に近づく傾斜に設けられている。また、雌コネクタ当接部７３は、雌コネクタロック部７４より突出して設けられている。
【００３４】
雌側端子７１は、雄コネクタ１と雌コネクタ２とを嵌合する際に、端子収容室４２内に嵌挿され、嵌合が完了すると雌側端子７１と雄側端子とが電気的な接続状態となる。
【００３５】
次に、上述した、スライダ付コネクタ１Ｂの作用及びコネクタ嵌合構造１Ａの嵌合動作の一例について図４から図７を用いて以下に説明する。嵌合開始前においてスライダ３は、雄コネクタ１のスライダ収容部６内に収容される（スライダ付コネクタ１Ｂ）。スライダ３は、コネクタ係止面６１ａとスライダ係止面３６ａとが係止するようにスライダ収容部６に収容されている。嵌合動作を開始すると、図４に示すように雌コネクタ２の雌ハウジング７が、雄コネクタ１のインナハウジング４を内部に収容するように雄コネクタ１内（スライダ付コネクタ１Ｂ内）に進入を開始し、雌コネクタ２の雌コネクタ当接部７３と、スライダ３のスライダ当接部３３ａとが当接する。
【００３６】
嵌合動作を進めていくと、当接状態を保ちながら雌コネクタ２がスライダ３を、スライダ収容部６の奥側（嵌合方向Ｄにおける雄コネクタ１側）、つまり、雌コネクタ２の進入方向に押し込んでいく。スライダ３は、圧縮ばね６３，６３を圧縮させつつスライダ収容部６の奥側に押し込まれていく。
【００３７】
さらに嵌合動作を進めていくと、スライダ３の先端部がスライダ収容部６内から押し出され、雄コネクタ１から飛び出した状態となる（図５）。この時、図５に示すように、アーム部４５，４５の摺接部４５ａ，４５ａは、スライダ３の傾斜部３４，３４の傾斜面に沿って摺接し、ロックアーム４４は傾斜部３４，３４に乗り上げを開始する。ロックアーム４４が傾斜部３４，３４に乗り上げることにより、ロックアーム４４は、上側（スライダ３側）に反って撓み始める。この時、雄コネクタロック部４６は、雌コネクタロック部７４の上側を通過し始める。
【００３８】
さらに嵌合動作を進めていくと、図６に示すように、スライダ３の先端部がさらに雄コネクタ１から飛び出した状態となる。ロックアーム４４は、傾斜部３４，３４によってさらに上側に反って撓んでいる。その先端部に設けられた雄コネクタロック部４６は、雄コネクタ１の奥側に侵入してきた雌コネクタロック部７４よりも高い位置に配されて雌コネクタロック部７４の上側を通過し、雌コネクタロック部７４より、嵌合方向Ｄにおける雌コネクタ２側に配されている。
【００３９】
この時、雄コネクタロック部４６はスライダアーム３３の下面に当接する（図６）。ロックアーム４４は、雄コネクタロック部４６がスライダアーム３３に当接したままさらに上側に撓み続け、スライダアーム３３を上側に持ち上げる。これにより、スライダ当接部３３ａと雌コネクタ当接部７３との当接が解除される。当接が解除されると、圧縮ばね６３，６３の反発力により、スライダ３が、嵌合方向Ｄにおける雌コネクタ２側に押し戻される（図７）。
【００４０】
この時、傾斜部３４，３４も嵌合方向Ｄにおける雌コネクタ２側に押し戻されて、摺接部４５ａ，４５ａと傾斜部３４，３４との摺接も解除されるため、同時にロックアーム４４が弾性的に元の形状に復元し、雄コネクタロック部４６が雌コネクタロック部７４に係止する（図７）。スライダ３は、コネクタ係止面６１ａとスライダ係止面３６ａとが係止する元の位置にまで押し戻され、スライダ収容部６内に留まる。これにより、雄コネクタ１と雌コネクタ２とが嵌合状態となり、雄側端子と雌側端子７１とが（図７）電気的な接続状態となる。スライダ３が、雄コネクタ１内に押し戻されると、スライダ押え部３８は、雄コネクタロック部４６の真上に配されている。
【００４１】
なお、図５及び図６における、雄コネクタロック部４６と、雌コネクタロック部７４とが係止していない状態、つまり、半嵌合状態で嵌合動作を停止すると、スライダ３が圧縮ばね６３，６３の反発力で付勢され、嵌合方向Ｄにおける雌コネクタ２側、つまり、嵌合が解除される方向に雌コネクタ２が押し戻される。このような構成により、本実施形態に係るコネクタ嵌合構造１Ａ及びスライダ付コネクタ１Ｂは、半嵌合状態を容易に検知することができる。
【００４２】
本実施形態に係るコネクタ嵌合構造１Ａ及びスライダ付コネクタ１Ｂは、雄コネクタロック部４６と雌コネクタロック部７４とを係止させるために、スライダ３にロックアーム４４を上側（スライダ３側）に撓ませる傾斜部３４，３４が設けられており、雄コネクタ１と雌コネクタ２とを嵌合する際に、ロックアーム４４が傾斜部３４，３４に乗り上げて撓んだときに、ロックアーム４４がスライダアーム３３に当接して、スライダアーム３３を押し上げて、スライダ当接部３３ａと雌コネクタ当接部７３との当接を解除する。このような構成により、雄コネクタロック部４６と雌コネクタロック部７４とを係止するための動作、つまり、ロックアーム４４を撓ませる動作を、スライダ当接部３３ａと雌コネクタ当接部７３との当接の解除に利用することができる。したがって、スライダ当接部３３ａと雌コネクタ当接部７３との当接を解除するための部材を設ける必要が無く、小型化を図ることができる。
【００４３】
また、本実施形態に係るコネクタ嵌合構造１Ａ及びスライダ付コネクタ１Ｂは、コネクタ係止部６１のコネクタ係止面６１ａと、スライダ３のスライダ係止面３６ａとが係止した嵌合状態において、スライダアーム３３の先端部であるスライダ当接部３３ａが、ロックアーム４４の雄コネクタロック部４６よりも、嵌合方向Ｄにおける雌コネクタ２側に配されるように形成されている。このような構成により、雌コネクタ２によりスライダ３を嵌合方向Ｄの雄コネクタ１側に押したとき、スライダ当接部３３ａが雄コネクタロック部４６に当接して、ロックアーム４４の撓みにより、確実にスライダアーム３３を撓ませることができる。
【００４４】
さらに、本実施形態に係るコネクタ嵌合構造１Ａ及びスライダ付コネクタ１Ｂは、雌コネクタ当接部７３と雌コネクタロック部７４とは嵌合方向Ｄと平行な同一線上に並んで配され、さらに、雌コネクタ当接部７３が、雌コネクタロック部７４よりも突出している。これにより、スライダアーム３３をロックアーム４４より高い位置に配することができる。そのため、雄コネクタ１と雌コネクタ２とを嵌合する際に、雌コネクタロック部７４が、スライダ当接部３３ａに当たることがなく、雌コネクタロック部７４を雌コネクタ当接部７３より嵌合方向Ｄにおける雄コネクタ１側に設けることができる。
【００４５】
このような構成により、スライダ当接部３３ａと雌コネクタ当接部７３とが未だ当接している状態で、雄コネクタロック部４６を雌コネクタロック部７４より嵌合方向Ｄにおける雌コネクタ２側に配することができる。したがって、スライダ当接部３３ａと雌コネクタ当接部７３との当接を解除するタイミングで、雄コネクタロック部４６と雌コネクタロック部７４とを係止させることができる。
【００４６】
また、本実施形態に係るコネクタ嵌合構造１Ａ及びスライダ付コネクタ１Ｂは、傾斜部３４，３４が、スライダ当接部３３ａよりも、嵌合方向Ｄにおける雄コネクタ１側に配されている。このような構成により、雄コネクタ１と雌コネクタ２とを嵌合する際に、傾斜部３４，３４のほうが先にロックアーム４４と当接し、雄コネクタロック部４６がスライダアーム３３に当接できる十分な高さにまでロックアーム４４を撓ませることができる。
【００４７】
また、本実施形態に係るコネクタ嵌合構造１Ａ及びスライダ付コネクタ１Ｂは、傾斜部３４，３４がスライダ３に設けられていることにより、雄コネクタ１と雌コネクタ２とを嵌合させる際に、傾斜部３４，３４が雌コネクタロック部７４より高い位置に配される。このような構成により、嵌合動作を少し進めただけでも、ロックアーム４４を大きく撓ませることができる。したがって、雄コネクタロック部４６が雌コネクタロック部７４に引っかかることがない様、十分な高さを確保することができ、雄コネクタロック部４６を、雌コネクタロック部７４より嵌合方向Ｄにおける雌コネクタ２側に確実に配することができる。これにより、当接解除と同時に雄コネクタロック部４６と雌コネクタロック部７４とを係止することが可能となる。
【００４８】
また、本実施形態に係るコネクタ嵌合構造１Ａ及びスライダ付コネクタ１Ｂは、嵌合が完了してスライダ３が、雄コネクタ１内に押し戻されると、スライダ押え部３８が、雄コネクタロック部４６の真上に配されている。このような構成により、雄コネクタロック部４６が、雌コネクタロック部７４から外れにくく、嵌合状態が解除されにくい。
【００４９】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明のスライダ付コネクタ及びコネクタ嵌合構造の構成を具備する限り、勿論、本発明の範疇に含まれるものである。
【００５０】
例えば、上記実施形態において、ロックアーム４４を略Ｈ字状と説明したが、可撓性を有して傾斜部３４，３４により撓ませることができ、それによりスライダアーム３３を上側に持ち上げることができれば、これに限定されることはない。
【００５１】
また、上記実施形態においてスライダ当接部３３ａは、その当接面３３ｂが、スライダアーム３３の先端部に向かうに従って上方に近づく傾斜に設けられている構成としたが、雌コネクタ当接部７３に対向し当接可能であれば、これに限定されることはない。
【００５２】
また、上記実施形態においてスライダ３は、嵌合状態において、スライダアーム３３の先端部であるスライダ当接部３３ａは、ロックアーム４４の雄コネクタロック部４６よりも、嵌合方向Ｄにおける雌コネクタ２側に配されるように形成されている構成としたが、これに限定されることはない。例えば、雄コネクタ１と雌コネクタ２とが嵌合する際に、ロックアーム４４の撓みにより、スライダアーム３３に当接し撓ませることができれば、これに限定されることはない。
【００５３】
また、上記実施形態においてスライダ３は、スライダ３の先端部がスライダ収容部６内から押し出され、雄コネクタ１から飛び出した状態となる構成としたが、これに限定されることはない。例えば、スライダ３が、スライダ収容部６内から押し出されることなく、雄コネクタ１内においてスライダ収容部６の奥側（嵌合方向Ｄにおける雄コネクタ１側）、つまり、雌コネクタ２の進入方向に押し込まれる構成としてもよい。
【００５４】
また、上記実施形態において傾斜部３４，３４は、スライダ３に設けられ、スライダ当接部３３ａよりも、嵌合方向Ｄにおける雄コネクタ１側に配されている構成としたが、ロックアーム４４を撓ませて、雄コネクタロック部４６を雌コネクタロック部７４に係止することができれば、特に限定されることはない。例えば、雄コネクタ１との嵌合に支障が出ない位置に設けることができれば、傾斜部３４，３４を雌コネクタ２に設けてもよい。また、傾斜部は、必ずしも２つ設けられている必要は無く、１つであっても３つ以上であってもよい。
【００５５】
また、上記実施形態において、弾性部材として圧縮ばねを例に挙げて説明したが、スライダ３を、嵌合方向Ｄにおける雌コネクタ２側に付勢することができればこれに限定されることはない。
【００５６】
また、上記実施形態において、スライダ３は、嵌合方向Ｄにおける雌コネクタ２側に付勢される構成としたが、特に限定されることはなく、付勢されていなくてもよい。また、コネクタ嵌合構造１Ａは、弾性部材を備えていなくてもよい。
【符号の説明】
【００５７】
１Ａ              コネクタ嵌合構造
１Ｂ              スライダ付コネクタ
１                雄コネクタ（第１コネクタ）
２                雌コネクタ（第２コネクタ）
３                スライダ
３３              スライダアーム（当接アーム）
３３a             スライダ当接部（第１当接部）
３４              傾斜部
３６ａ            スライダ係止面（スライダ係止部）
４４              ロックアーム
４６              雄コネクタロック部（第１ロック部）
６１              コネクタ係止部
７                雌ハウジング（第２コネクタのハウジング）
７３              雌コネクタ当接部（第２当接部）
７４              雌コネクタロック部（第２ロック部）
【図１】
0006322596.tif 000002
【図２】
0006322596.tif 000003
【図３】
0006322596.tif 000004
【図４】
0006322596.tif 000005
【図５】
0006322596.tif 000006
【図６】
0006322596.tif 000007
【図７】
0006322596.tif 000008
【図８】
0006322596.tif 000009